(57)【要約】    【課題】管理人から居住者への呼び出しの際、応答がなかったときに、居住者の居室番号および／または居住者名を管理室親機に表示させる。    【解決手段】管理人が管理室親機２を使用して呼出先の住戸内に設置された居室親機３ａ、３ｂ、・・・を呼び出す際、応答がなかったとき、これを確認した管理人が管理室親機のメモリセットボタン２３を操作すると、呼出先である居住者の住戸に割り当てられている居室番号および／または居住者名が制御装置８のメモリ８６に記憶されるとともに、メモリに記憶された居室番号および／または居住者名を管理室親機の表示部２４に表示させることができる。また、管理室親機の表示部に表示させた居室番号および／または居住者名の中から選択し、メモリリセットボタン２５を操作すると、選択された居室番号および／または居住者名が表示部からクリアされるとともに、選択された居室番号および／または居住者名を制御装置のメモリからクリアさせることができる。    【選択図】図１
2005244432.tif 000002
【特許請求の範囲】
【請求項１】
来訪者が居住者を呼び出し、通話を行うための集合玄関機（１）と、管理人が前記居住者を呼び出し、通話を行うための管理室親機（２）と、前記来訪者または前記管理人との間で通話を行うための居室親機（３ａ、３ｂ、・・・）と、前記集合玄関機、前記管理室親機および前記居室親機を制御する制御装置（８）とを備え、
前記管理人が前記居住者を呼び出して応答がなかったとき、前記居住者の居室番号および／または居住者名を記憶するためのメモリ（８６）と、前記管理室親機に通話ができなかった居住者の居室番号および／または居住者名を表示するための表示部（２４）とを有することを特徴とする集合住宅インターホンシステム。
【請求項２】
前記居住者を呼び出して応答がなかったとき、前記管理室親機のメモリセットボタン（２３）を操作することにより前記居住者の居室番号および／または居住者名を前記メモリに記憶することを特徴とする請求項１記載の集合住宅インターホンシステム。
【請求項３】
前記メモリに記憶された前記居室番号および／または居住者名を前記管理室親機の前記表示部に表示することを特徴とする請求項１または請求項２記載の集合住宅インターホンシステム。
【請求項４】
前記管理室親機に表示される呼び出して応答がなかった前記居室番号および／または居住者名の中から、記憶をクリアしたい居室番号および／または居住者名を選択し、メモリリセットボタン（２５）を操作することにより選択した居室番号および／または居住者名の記憶をクリアすることを特徴とする請求項１乃至請求項３のうち何れか１項記載の集合住宅インターホンシステム。
【請求項５】
前記管理室親機と前記居室親機との間で通話が行われることにより、前記記憶されている前記居室番号および／または居住者名がクリアされることを特徴とする請求項１乃至請求項４のうち何れか１項記載の集合住宅インターホンシステム。
【請求項６】
前記管理室親機と前記居室親機との間で通話が行われることにより、前記通話が行われたことを記憶し、前記通話が行われた居室番号および／または居住者名を前記管理室親機の表示部に表示することを特徴とする請求項１乃至請求項５のうち何れか１項記載の集合住宅インターホンシステム。
【請求項７】
前記管理室親機と同一の機能を有する携帯端末（４ａ、４ｂ、・・・）および／またはその他の通信機器（５ａ、５ｂ、・・・）を備えていることを特徴とする請求項１乃至請求項６のうち何れか１項記載の集合住宅インターホンシステム。
【請求項８】
前記メモリは、前記制御装置に備えたことを特徴とする請求項１乃至請求項７のうち何れか１項記載の集合住宅インターホンシステム。
【発明の詳細な説明】
【技術分野】
【０００１】
本発明は、マンション等の集合住宅に設置される集合住宅インターホンシステムに係り、特に、管理人から居住者への呼び出しの際、応答がなかったことを管理人に報知する集合住宅インターホンシステムに関する。
【背景技術】
【０００２】
従来から、この種の集合住宅インターホンシステムとして、集合住宅の管理室内に居る管理人が管理室親機を使用して住戸内の居住者に対する伝言メモを送信し、送信先の住戸内に設置された居室機にて管理人からの新着情報がある旨を報知・表示させるとともに、この報知・表示をリアルタイムで確認できなかった外出等から帰宅した居住者が居室機を使用して伝言メモの内容、例えば、行事や予定表の内容を確認できる集合住宅用インターホンシステムが提案されている（例えば、特許文献１を参照）。
【０００３】
【特許文献１】特開２００２−５７８０６号公報（段落番号００４１〜段落番号００４６、図１〜図４）
【発明の開示】
【発明が解決しようとする課題】
【０００４】
しかしながら、従来例の集合住宅用インターホンシステムでは、管理人が居住者に対する伝言メモを送信して連絡を取りたい旨を居室機に報知・表示させても、その報知・表示の設定を管理室親機にて確認できなかった。
【０００５】
本発明は、上述の難点を解消するためになされたもので、管理人から居住者への呼び出しの際、応答がなかったときに、居住者の居室番号および／または居住者名を管理室親機に表示させた集合住宅インターホンシステムを提供することを目的としている。
【課題を解決するための手段】
【０００６】
上述の目的を達成するため、本発明の集合住宅インターホンシステムは、来訪者が居住者を呼び出し、通話を行うための集合玄関機と、管理人が居住者を呼び出し、通話を行うための管理室親機と、来訪者または管理人との間で通話を行うための居室親機と、集合玄関機、管理室親機および居室親機を制御する制御装置とを備え、管理人が居住者を呼び出して応答がなかったとき、居住者の居室番号および／または居住者名を記憶するためのメモリと、管理室親機に通話ができなかった居住者の居室番号および／または居住者名を表示するための表示部とを有する。
【０００７】
また、本発明の集合住宅インターホンシステムは、居住者を呼び出して応答がなかったとき、管理室親機のメモリセットボタンを操作することにより居住者の居室番号および／または居住者名をメモリに記憶するものである。
【０００８】
また、本発明の集合住宅インターホンシステムは、メモリに記憶された居室番号および／または居住者名を管理室親機の表示部に表示するものである。
【０００９】
また、本発明の集合住宅インターホンシステムは、管理室親機に表示される呼び出して応答がなかった居室番号および／または居住者名の中から、記憶をクリアしたい居室番号および／または居住者名を選択し、メモリリセットボタンを操作することにより選択した居室番号および／または居住者名の記憶をクリアするものである。
【００１０】
また、本発明の集合住宅インターホンシステムは、管理室親機と居室親機との間で通話が行われることにより、記憶されている居室番号および／または居住者名がクリアされる。
【００１１】
また、本発明の集合住宅インターホンシステムは、管理室親機と居室親機との間で通話が行われることにより、通話が行われたことを記憶し、通話が行われた居室番号および／または居住者名を管理室親機の表示部に表示するものである。
【００１２】
また、本発明の集合住宅インターホンシステムは、管理室親機と同一の機能を有する携帯端末および／またはその他の通信機器を備えている。
【００１３】
また、本発明の集合住宅インターホンシステムにおいて、メモリは、制御装置に備えている。
【発明の効果】
【００１４】
本発明の集合住宅用インターホンシステムによれば、管理人が管理室親機を使用して呼出先の住戸内に設置された居室親機を呼び出す際、応答がなかったとき、これを確認した管理人が管理室親機のメモリセットボタンを操作すると、呼出先である居住者の住戸に割り当てられている居室番号および／または居住者名が制御装置のメモリに記憶されるとともに、メモリに記憶された居室番号および／または居住者名を管理室親機の表示部に表示させることができる。
【００１５】
また、本発明の集合住宅用インターホンシステムによれば、管理室親機の表示部に表示させた居室番号および／または居住者名の中から選択し、メモリリセットボタンを操作すると、選択された居室番号および／または居住者名が表示部からクリアされるとともに、選択された居室番号および／または居住者名を制御装置のメモリからクリアさせることができる。
【００１６】
さらに、本発明の集合住宅用インターホンシステムによれば、管理室親機が有する機能と同一の機能を外出等で管理室内を不在としている管理人により携行可能な携帯端末および／またはその他の通信機器に備えることができる。
【発明を実施するための最良の形態】
【００１７】
以下、本発明の集合住宅インターホンシステムを適用した最良の実施の形態例について、図面を参照して説明する。
【００１８】
図１は、本発明の実施例による集合住宅インターホンシステムの構成を示すシステム説明図である。
【００１９】
図１のシステム説明図に示す集合住宅インターホンシステムは、マンション等の集合住宅において、集合玄関に設置されており、来訪者が複数の住戸のうち特定の住戸内に在室中の居住者、または管理室内に在室中の管理人を呼び出して通話を行うための集合玄関機１と、管理室内に設置されており、来訪者または特定の居住者からの呼び出しを確認した管理人が応答して通話を行うとともに、管理人が特定の居住者を呼び出して通話を行う、または複数の居住者を呼び出すための（所定の）管理室番号が割り当てられた管理室親機２と、複数の住戸の住戸内にそれぞれ設置されており、来訪者または管理人からの呼び出しを確認した居住者が応答して通話を行うとともに、居住者が管理人を呼び出して通話を行うための個別の居室番号が割り当てられた（複数の）居室親機３ａ、３ｂ、・・・と、外出等で管理室内を不在としている管理人や住戸内を不在としている居住者により携行される個別の端末番号が割り当てられた例えば、ＰＨＳ（Personal Handyphone System）等の（複数の）携帯端末４ａ、４ｂ、・・・および個別の機器番号が割り当てられた例えば、ＰＤＡ（Personal Digital Assistants）等の（複数の）他の通信機器５ａ、５ｂ、・・・と、携帯端末４ａ、４ｂ、・・・および／または他の通信機器５ａ、５ｂ、・・・との間で無線による各種信号の送受信が可能な基地局６と、基地局ラインＬ5を介して接続された基地局６および交換機ラインＬ4を介して接続された後述する制御装置８の間の信号伝送路を形成するような制御機能を有する（デジタル方式の）交換機７と、玄関機ラインＬ1を介して接続された集合玄関機１、管理室親機ラインＬ2を介して接続された管理室親機２、居室親機ラインＬ3を介してバス接続された居室親機３ａ、３ｂ、・・・、および交換機ラインＬ4を介して接続された交換機７をそれぞれ制御する、例えば、呼出制御、通話制御等を行うための制御装置８とを備えている。
【００２０】
図１のシステム説明図において、集合玄関機１は、来訪者が特定の居住者または管理人を呼び出すにあたり、呼出先の住戸に割り当てられている居室番号を入力した後、呼出ボタンを操作する、または呼出先の管理室に割り当てられているボタン（管理室呼出ボタン）を操作するような所定の呼出操作が行われるタッチパネル等の操作部（以下、玄関機操作部という。）１０および当該玄関機操作部の操作情報等が表示されるＬＣＤ（Liquid Crystal Display）等の表示部（以下、玄関機表示部という。）１１と、呼出操作を行った来訪者の映像や集合玄関の周囲近傍の映像（監視映像）を撮像するためのカメラ１２と、来訪者が呼出先である特定の居住者、または管理人との間で通話を行うための音声を送受信するマイク１３（以下、玄関機マイクという。）およびスピーカ（以下、玄関機スピーカという。）１４とを有している。
【００２１】
また、管理室親機２は、来訪者または特定の居住者からの呼び出しがある旨の呼出音や音声メッセージが出力されるスピーカ（以下、管理室親機スピーカという。）２０と、管理人が呼出元である来訪者または特定の居住者、或いは呼出先である特定の居住者との間でハンドセット通話を行うための音声を送受信する送受話器（以下、管理室親機送受話器という。）２１と、管理人が特定の居住者、または複数の居住者を呼び出すにあたり、呼出先の住戸に割り当てられている居室番号を入力した後、呼出ボタンを操作する、または一斉呼出しのためのボタン（一斉呼出ボタン）を操作するような所定の呼出操作が行われるテンキー、呼出ボタン等の操作部（以下、管理室親機操作部という。）２２と、管理人が特定の居住者を呼び出して応答がなかった住戸に割り当てられている居室番号および／または居住者名を制御機８の後述するメモリ８６に記憶させるために操作するメモリセットボタン２３と、来訪者または特定の居住者からの呼び出しがある旨の呼出情報、集合玄関機１のカメラ１２にて撮像された映像のみならず、管理室親機操作部２２の操作情報やメモリセットボタン２３の操作により制御機８の後述するメモリ８６に記憶させた居室番号および／または居住者名が表示されるＬＣＤ等の表示部（以下、管理室親機表示部という。）２４と、管理室親機表示部２４に表示される通話ができなかった居室番号および／または居住者名の中から、制御機８の後述するメモリ８６への記憶をクリアしたい居室番号および／または居住者名を選択するために管理人により操作されるメモリリセットボタン２５とを有している。
【００２２】
また、居室親機３ａ、３ｂ、・・・はそれぞれ同様な構成であり、来訪者または管理人からの呼び出しがある旨の呼出音や音声メッセージが出力されるとともに、居住者が呼出元である来訪者または管理人、或いは呼出先である管理人との間で拡声通話をを行うための音声を受信するスピーカ（以下、居室親機スピーカという。）３０ａ、３０ｂ、・・・と、居住者が呼出元である来訪者または管理人、或いは呼出先である管理人との間で拡声通話を行うための音声を送信するマイク（以下、居室親機マイクという。）３１ａ、３１ｂ、・・・と、居住者が呼出元である来訪者または管理人、或いは呼出先である管理人との間でハンドセット通話を行うための音声を送受信する送受話器（以下、居室親機送受話器という。）３２ａ、３２ｂ、・・・と、居住者が管理人を呼び出すにあたり、呼出先の管理室に割り当てられているボタン（管理室呼出ボタン）を操作するような所定の呼出操作や居住者が住戸内を不在とする前に所定の留守設定が行われるタッチパネル等の操作部（以下、居室親機操作部という。）３３ａ、３３ｂ、・・・と、居住者が来訪者または管理人からの呼び出しに応答して拡声通話を行うために操作する通話ボタン３４ａ、３４ｂ、・・・と、来訪者または管理人からの呼び出しがある旨の呼出情報、集合玄関機１のカメラ１２にて撮像された映像のみならず、居室親機操作部３３ａ、３３ｂ、・・・および通話ボタン３４ａ、３４ｂ、・・・の操作情報等が表示されるＬＣＤ等の表示部（以下、居室親機表示部という。）３５ａ、３５ｂ、・・・とを有している。
【００２３】
さらに、制御装置８には、当該制御装置の構成各部および当該システム全体を制御するとともに計時機能を有する制御回路８０と、制御回路８０および玄関機ラインＬ1の間の信号伝送路を形成するための通信回路（以下、玄関機側Ｉ／Ｆという。）８１と、制御回路８０および管理室親機ラインＬ2の間の信号伝送路を形成するための通信回路（以下、管理室親機側Ｉ／Ｆという。）８２と、制御回路８０および居室親機ラインＬ3の間の信号伝送路を形成するための通信回路（以下、居室親機側Ｉ／Ｆという。）８３と、制御回路８０および交換機ラインＬ4の間の信号伝送路を形成するための通信回路（以下、交換機側Ｉ／Ｆという。）８４と、管理室親機２に割り当てられている管理室番号に対応させた管理人名および（複数の）居室親機３ａ、３ｂ、・・・にそれぞれ割り当てられている（複数の）居室番号に対応させた（複数の）居住者名が記憶されるテーブル８５と、管理室親機２から特定の当該居室親機への呼び出しで応答がなかった住戸に割り当てられている居室番号および／またはテーブル８５から読み出した居住者名を記憶するためのメモリ８６とが備えられている。
【００２４】
このように構成された本発明の実施例による集合住宅インターホンシステムにおいて、以下、具体的な動作について説明する。
【００２５】
なお、本発明の実施例において、集合玄関に居る来訪者が集合玄関機１の玄関機操作部１０を操作して管理室内に在室中の管理人を呼び出すにあたり、呼出先である管理室親機２の管理室親機スピーカ２０および管理室親機表示部２４を使用して所定の呼出報知・表示を行い、この呼出報知・表示を確認した管理人が管理室親機送受話器２１を取り上げることにより、管理室親機送受話器２１と呼出元である集合玄関機１の玄関機マイク１３および玄関機スピーカ１４との間で通話を行う動作と、集合玄関に居る来訪者が集合玄関機１の玄関機操作部１０を操作して複数の住戸のうち特定の住戸内に在室中の居住者を呼び出すにあたり、呼出先である特定の居室親機３ａ、３ｂ、・・・の居室親機スピーカ３０ａ、３０ｂ、・・・および居室親機表示部３５ａ、３５ｂ、・・・を使用して所定の呼出報知・表示を行い、この呼出報知・表示を確認した居住者が居室親機送受話器３２ａ、３２ｂ、・・・を取り上げる、または通話ボタン３４ａ、３４ｂ、・・・を操作することにより、居室親機スピーカ３０ａ、３０ｂ、・・・および居室親機マイク３１ａ、３１ｂ、・・・、または居室親機送受話器３２ａ、３２ｂ、・・・と呼出元である集合玄関機１の玄関機マイク１３および玄関機スピーカ１４との間で通話を行う動作とは、従来例の該当動作と同様であることから説明は省略する。
【００２６】
次に、本発明の実施例による動作として、図１のシステム説明図において、管理室内に在室中の管理人が、複数の住戸のうち特定の住戸内に在室中の居住者、ここでは、居室親機３ａが設置された住戸内に在室中の居住者を呼び出して通話を行うために、管理室親機２の管理室親機操作部２２を使用して所定の呼出操作を行う、例えば、呼出先の住戸に割り当てられている居室番号を入力した後、呼出ボタンを操作すると、管理室親機操作部２２の操作情報が管理室親機表示部２４に表示されるばかりでなく、呼出先の居室番号を付加させた呼出信号Ｓ1が管理室親機ラインＬ2に出力される。この呼出信号Ｓ1は、管理室親機ラインＬ2、制御装置８の管理室親機側Ｉ／Ｆ８２を介して制御回路８０へと伝送される。
【００２７】
制御装置８の制御回路８０は、管理室親機２からの呼出信号Ｓ1を検出すると計時機能が能動となり、呼出信号Ｓ1に付加されている呼出先の居室番号をもとに、管理室内に在室中の管理人から居室親機３ａが設置された住戸内に在室中の居住者への呼び出しがあることを検出するとともに、呼出元である居室親機３ａが通話状態であるか否か、すなわち、呼出先である居室親機３ａにて集合玄関機１からの呼び出しが報知され、居室親機３ａおよび集合玄関機１の間で通話路が形成されている否か、または呼出先である居室親機３ａが設置された住戸の居住者が外出等で住戸内を不在としているか否かを判断する。
【００２８】
なお、居室親機３ａが設置された住戸の居住者が外出等で住戸内を不在としている場合、この居住者は、通常、外出等の前に居室親機３ａの居室親機操作部３３ａを操作して所定の留守設定を行ったものとする。
【００２９】
ここで、呼出先である居室親機３ａが上述のように通話状態、または留守設定であり応答ができないと判断した制御装置８の制御回路８０は、管理室親機２からの呼び出しがある旨の呼出情報および上述の居室番号を付加させた表示データ信号（以下、居室親機表示データ信号という。）Ｓ2を居室親機側Ｉ／Ｆ８３に出力する。この居室親機表示データ信号Ｓ2は、居室親機ラインＬ3を介して全ての居室親機３ａ、３ｂ、・・・へとそれぞれ伝送される。
【００３０】
全ての居室親機３ａ、３ｂ、・・・は、それぞれ制御装置８の制御回路８０からの居室親機表示データ信号Ｓ2に付加されている居室番号と自居室親機に割り当てられている居室番号とを照合し、当該居室番号が一致した場合にのみ同様に居室親機表示データ信号Ｓ2へと付加されている呼出情報を居室親機表示部３５ａ、３５ｂ、・・・に表示させる。ここでは、呼出先である居室親機３ａのみ当該居室番号が一致し、管理室親機２からの呼び出しがある旨の呼出情報が居室親機表示部３５ａに表示される。
【００３１】
一方、呼出元である居室親機３ａが上述のような通話状態、または留守設定ではないと判断した制御装置８の制御回路８０は、管理室親機２からの呼出信号Ｓ1を居室親機側Ｉ／Ｆ８３に出力する。この呼出信号Ｓ1は、上述の居室親機表示データ信号Ｓ2と同様な経路を介して全ての居室親機３ａ、３ｂ、・・・へとそれぞれ伝送される。
【００３２】
全ての居室親機３ａ、３ｂ、・・・は、それぞれ（制御装置８を介した）管理室親機２からの呼出信号Ｓ1に含まれている居室番号と自居室親機に割り当てられている居室番号とを照合し、当該居室番号が一致した場合にのみ居室親機スピーカ３０ａ、３０ｂ、・・・から呼出音や音声メッセージを出力させるとともに、管理室親機２からの呼び出しがある旨の呼出情報を居室親機表示部３５ａに表示させる。ここでは、居室親機３ａの居室親機スピーカ３０ａおよび居室親機表示部３５ａを使用して上述の呼出報知・表示が行われる。
【００３３】
この後、上述のように、呼出先である居室親機３ａの居室親機表示部３５ａに管理室親機２からの呼び出しがある旨の呼出情報が表示されたのにも関わらず、或いは呼出先である居室親機３ａの居室親機スピーカ３０ａからの呼出音や音声メッセージの出力および居室親機表示部３５ａに管理室親機２からの呼び出しがある旨の呼出情報が表示されたのにも関わらず、呼出先の居住者により何ら応答がないことを確認した呼出元である管理室内に在室中の管理人が管理室親機２のメモリセットボタン２３を操作すると、上述の呼出信号Ｓ1に付加されている居室番号を制御装置８のメモリ８６に記憶させる、および／または当該居室番号に割り当てられてテーブル８５へと記憶されている呼出先の居住者名を読み出してメモリ８６に記憶させるように制御回路８０を制御するためのメモリセット信号Ｓ3が管理室親機ラインＬ2に出力される。このメモリセット信号Ｓ3は、上述の呼出信号Ｓ1と同様な経路を介して制御装置８の制御回路８０へと伝送される。
【００３４】
制御装置８の制御回路８０は、管理室親機２からのメモリセット信号Ｓ3を検出すると、予め検出された上述の居室番号および／または当該居室番号に割り当てられてテーブル８５へと記憶されている呼出先の居住者名を読み出してメモリ８６に記憶させるとともに、メモリ８６に記憶させた上述の居室番号および／または居住者名のみならず、当該メモリに予め記憶されている場合には、その居室番号および／または居住者名を管理室親機２の管理室親機表示部２４に表示させるための表示データ信号（以下、管理室親機表示データ信号という。）Ｓ4を管理室親機側Ｉ／Ｆ８２に出力する。この管理室親機表示データ信号Ｓ4は、管理室親機ラインＬ2を介して管理室親機２へと伝送される。
【００３５】
管理室親機２は、制御装置８の制御回路８０からの管理室親機表示データ信号Ｓ4に付加されている居室番号および／または居住者名を管理室親機表示部２４に表示、例えば、スクロール表示やポップアップ表示させる。これにより、呼出元である管理室内に在室中の管理人は、呼び出して応答がなかった居室親機３ａが設置された住戸に割り当てられている居室番号および／または居住者名のみならず、制御装置８のメモリ８６に予め記憶されていた全ての居室番号および／または居住者名を確認できる。
【００３６】
また、管理室親機２の管理室親機表示部２４に表示された居室番号および／または居住者名を管理室内に在室中の管理人が確認した後、クリアしたい居室番号および／または居住者名を管理室親機操作部２２を使用して選択し、メモリリセットボタン２５を操作すると、選択された居室番号および／または居住者名の表示が管理室親機表示部２４からクリアされるとともに、選択された居室番号および／または居住者名を制御装置８のメモリ８６からクリアさせるためのメモリリセット信号Ｓ5が管理室親機ラインＬ2に出力される。このメモリリセット信号Ｓ5は、上述の呼出信号Ｓ1およびメモリセット信号Ｓ3と同様な経路を介して制御装置８の制御回路８０へと伝送される。
【００３７】
さらに、制御装置８の制御回路８０は、管理室親機２からのメモリリセット信号Ｓ5を検出すると、メモリ８６に予め記憶されている全ての居室番号および／または居住者名のうち、管理室内に在室中の管理人により選択された居室番号および／または居住者名をクリアさせることができる。
【００３８】
なお、制御装置８において、上述の呼出信号Ｓ1に付加されている居室番号をメモリ８６へと記憶させる、および／または当該居室番号に割り当てられてテーブル８５へと記憶されている呼出先の居住者名をメモリ８６に記憶させるための制御と、メモリ８６へと記憶させた居室番号および／または居住者名を管理室親機２の管理室親機表示部２４に表示させるための制御とは、管理室親機２からのメモリセット信号Ｓ3を検出した制御回路８０の制御のみならず、呼出先である居室親機３ａが通話状態、または留守設定であり呼び出しができないと判断した制御回路８０の制御、或いは管理室親機２からの呼び出しを検出してから所定の時間のタイムアップを検出した制御回路８０の制御をもとに行うことができる。
【００３９】
上述のように、呼び出して応答がなかった住戸に割り当てられている居室番号および／または居住者名を確認した管理室内に在室中の管理人が居室親機３ａが設置された住戸内に在室中の居住者を再度呼び出して通話を行う、或いは居室親機３ａの居室親機表示部３５ａに表示された呼出情報を確認した帰宅時等の居住者が居室親機操作部３３ａを操作して管理人を呼び出して通話を行うと、これを検出した制御装置８の制御回路８０は、通話が行われたことをメモリ８６へと記憶させるとともに、メモリ８６から読み出した居室親機３ａが設置された住戸に割り当てられている居室番号および／または居住者名を管理室親機２の管理室親機表示部２４に表示させるための管理室親機表示データ信号Ｓ6を管理室親機ラインＬ2に出力し、さらに、読み出した居室番号および／または居住者名をメモリ８６からクリアする。この管理室親機表示データ信号Ｓ6は、上述の管理室親機表示データ信号Ｓ4と同様な経路を介して管理室親機２へと伝送される。
【００４０】
管理室親機２は、制御装置８の制御回路８０からの管理室親機表示データ信号Ｓ6に付加されている居室番号および／または居住者名を管理室親機表示部２４に表示させる。これにより、管理室内に在室中の管理人は、通話先である居室親機３ａが設置された住戸に割り当てられている居室番号および／または居住者名を確認できる。
【００４１】
なお、本発明の実施例によれば、呼び出して応答がなかった居室親機３ａ（３ｂ、・・・）が設置された住戸に割り当てられている居室番号および／または居住者名のみならず制御装置８のメモリ８６に予め記憶されている全ての居室番号および／または居住者名を表示させる機能、表示された居室番号および／または居住者名の中から選択した当該居室番号および／または居住者名を制御装置８のメモリ８６からクリアする機能、通話先である居室親機３ａ（３ｂ、・・・）が設置された住戸に割り当てられている居室番号および／または居住者名を表示させる機能を管理室親機２のみに備えたが、同一の機能を管理人により携行可能な携帯端末４ａ、４ｂ、・・・および／またはその他の通信機器５ａ、５ｂ、・・・に備えることもでき、管理人にとっては管理室内のみならず、外出先等でも管理室親機２と同一の機能を実行させることができる。
【００４２】
また、本発明の実施例によれば、管理室親機２において、管理室親機操作部２２、メモリセットボタン２３、メモリリセットボタン２５をそれぞれ個別に設けたが、タッチパネル等の操作部として一体的に設けることもできる。
【００４３】
また、本発明の実施例によれば、居室親機３ａ、３ｂ、・・・において、通話ボタン３４ａ、３４ｂ、・・・と居室親機操作部３３ａ、３３ｂ、・・・とを別途に設けたが、通話ボタン３４ａ、３４ｂ、・・・の操作機能を居室親機操作部３３ａ、３３ｂ、・・・に備えることもできる。
【００４４】
さらに、本発明の実施例によれば、居室親機３ａ、３ｂ、・・・が有する通話機能として、居室親機スピーカ３０ａ、３０ｂ、・・・、居室親機マイク３１ａ、３１ｂ、・・・、および通話ボタン３４ａ、３４ｂ、・・・を使用して行う拡声通話、または居室親機送受話器３２ａ、３２ｂ、・・・を使用して行うハンドセット通話の異なる２種の通話機能を有していたが、何れか一方の通話機能のみを有する当該居室親機も好適とされる。
【図面の簡単な説明】
【００４５】
【図１】本発明の実施例による集合住宅インターホンシステムの構成を示すシステム説明図。
【符号の説明】
【００４６】
１……集合玄関機
２……管理室親機
２３……メモリセットボタン
２４……管理室親機表示部（表示部）
２５……メモリリセットボタン
３ａ、３ｂ、・・・ ……居室親機
４ａ、４ｂ、・・・ ……携帯端末
５ａ、５ｂ、・・・ ……その他の通信機器
８……制御装置
８６……メモリ
【図１】
2005244432.tif 000003